(57)【特許請求の範囲】
【請求項１】
監視対象物を撮影する複数のカメラから映像データを取得し記録する映像記録端末装置と、作業員が操作する携帯端末と、
前記携帯端末からの要求に応じて前記映像データを配信する映像配信サーバと、がネットワークを介して接続された映像監視システムであって、
前記携帯端末は、
前記映像データを表示可能な映像表示部と、
前記複数のカメラから特定のカメラを指定する操作と、前記特定のカメラの撮影日時を指定する操作とを受け付ける携帯端末操作部と、
前記二つの操作に従って前記特定のカメラが前記指定された撮影日時で撮影した映像データを表示させるための表示要求情報を生成する携帯端末制御部と、
前記表示要求情報を前記映像配信サーバに送信する携帯端末通信部と、
前記ネットワークを介して前記映像配信サーバから受信した前記映像データを前記映像表示部に表示する携帯端末表示制御部と、
を備え、
前記映像配信サーバは、
前記映像記録端末装置から受信した映像データを格納する映像データ格納部と、
前記携帯端末に予め割り当てられ、当該携帯端末を一意に識別する情報である個体識別情報を格納する個体識別情報格納部と、
前記携帯端末から前記表示要求情報を受信し、当該携帯端末の個体識別情報と、前記個体識別情報格納部に格納されている個体識別情報とが一致した場合に、受信した当該表示要求情報に対応する映像データが前記映像データ格納部に格納されているか否かを判定し、前記映像データ格納部における、前記携帯端末から受信した前記表示要求情報に対応する映像データの格納状況に応じて、当該表示要求情報に対応する映像データの送信要求情報を前記映像記録端末装置に送信するサーバ制御部と、
前記映像記録端末装置から前記送信要求情報に対応する映像データを受信した場合に、当該映像データをストリーミング形式で前記携帯端末に配信する配信処理部と、
を備え、
前記映像記録端末装置は、
前記サーバ制御部から前記送信要求情報を受信した場合に、当該送信要求情報に対応する前記映像データを前記映像配信サーバに送信するネットワーク通信部を備え、
前記サーバ制御部は、
受信した当該表示要求情報に対応する映像データの一部が前記映像データ格納部に格納されている場合に、当該映像データ格納部に格納されていない部分の前記表示要求情報に対応する映像データの送信を要求するための前記送信要求情報を前記映像記録端末装置に送信し、
前記ネットワーク通信部は、
当該映像データ格納部に格納されていない部分の前記表示要求情報に対応する映像データを前記映像配信サーバに送信し、
前記配信処理部は、
前記映像記録端末装置から前記映像データ格納部に格納されていない部分の前記表示要求情報に対応する映像データを受信し、受信した前記映像データ格納部に格納されていない部分の前記表示要求情報に対応する映像データと前記映像データ格納部に格納された前記表示要求情報に対応する映像データの一部とを、前記携帯端末の前記映像表示部に表示させる、ことを特徴とする映像監視システム。
【請求項２】
前記サーバ制御部は、
前記携帯端末から前記表示要求情報を受信し、当該携帯端末の個体識別情報と、前記個体識別情報格納部に格納されている個体識別情報とが一致する毎にユニークなＩＤを採番し、
前記配信処理部は、
前記携帯端末に前記表示要求情報に対応する映像データの送信を完了した場合に前記ユニークなＩＤを削除することを特徴とする請求項１に記載の映像監視システム。
【請求項３】
前記サーバ制御部は、
前記携帯端末から前記表示要求情報を受信し、当該携帯端末の個体識別情報と、前記個体識別情報格納部に格納されている個体識別情報とが一致する毎にユニークなＩＤを採番し、
前記配信処理部は、
前記携帯端末との接続が不能であった場合に前記ユニークなＩＤを削除することを特徴とする請求項１に記載の映像監視システム。
【請求項４】
監視対象物を撮影する複数のカメラから映像データを取得し記録する映像記録端末装置と、前記映像データを表示させるための表示要求情報を生成する携帯端末のそれぞれとネットワークを介して接続され、
前記携帯端末からの要求に応じて前記映像データを配信する映像配信サーバであって、
前記映像記録端末装置から受信した映像データを格納する映像データ格納部と、
前記携帯端末に予め割り当てられ、当該携帯端末を一意に識別する情報である個体識別情報を格納する個体識別情報格納部と、
前記携帯端末から前記表示要求情報を受信し、当該携帯端末の個体識別情報と、前記個体識別情報格納部に格納されている個体識別情報とが一致した場合に、受信した当該表示要求情報に対応する映像データが前記映像データ格納部に格納されているか否かを判定し、前記映像データ格納部における、前記携帯端末から受信した前記表示要求情報に対応する映像データの格納状況に応じて、当該表示要求情報に対応する映像データの送信要求情報を前記映像記録端末装置に送信するサーバ制御部と、
前記映像記録端末装置から前記送信要求情報に対応する映像データを受信した場合に、当該映像データをストリーミング形式で前記携帯端末に配信する配信処理部と、
を備え、
前記サーバ制御部は、
受信した当該表示要求情報に対応する映像データの一部が前記映像データ格納部に格納されている場合に、当該映像データ格納部に格納されていない部分の前記表示要求情報に対応する映像データの送信を要求するための前記送信要求情報を前記映像記録端末装置に送信し、
前記配信処理部は、
前記映像記録端末装置から前記映像データ格納部に格納されていない部分の前記表示要求情報に対応する映像データを受信し、受信した前記映像データ格納部に格納されていない部分の前記表示要求情報に対応する映像データと、前記映像データ格納部に格納された前記表示要求情報に対応する映像データの一部とを、前記携帯端末において前記映像データを表示する映像表示部に表示させる、ことを特徴とする映像配信サーバ。
【発明の詳細な説明】
【技術分野】
【０００１】
本発明は、携帯端末を用いて監視対象の状況確認を行う映像監視システム及び映像配信サーバに関する。
【背景技術】
【０００２】
建物の管理サーバから作業員が所持する携帯端末に建物の状況を報知する情報を送信し、監視活動を行う映像監視システムが一般的に設置されている。
【０００３】
携帯端末を利用して監視活動を行う技術として、例えば特許文献１には、「プラント機器が異常と検知されたとき異常を示すメール送信文を作成すると共に該送信文に異常プラント機器に関係するＷｅｂページのＵＲＬを追記して送信情報を生成し、該生成された送信情報を、ネットワークを介してＰＤＡに送信するプラント監視システム」が開示されている。
【先行技術文献】
【特許文献】
【０００４】
【特許文献１】特開２００３‐５１８９５号公報
【発明の概要】
【発明が解決しようとする課題】
【０００５】
上記特許文献１によれば、監視対象となっている建物の異常発生を検知した場合、異常が発生した箇所の状況を作業員が所持するＰＤＡにメールで送信し、文字情報と画像情報の両方で表示させて建物の異常を把握することが出来る。しかし、作業員が建物に設置されたカメラを任意に指定し、指定されたカメラが撮影した日時を指定して画像情報を表示させることが出来ず、異常が発生した箇所の周囲の状況や異常発生の前後における状況が把握できないという課題がある。
【０００６】
本発明は、上記課題を解決するためになされたものであり、その目的は、携帯端末を用いて作業員が建物に設置されたカメラを任意に指定し、指定されたカメラが撮影した日時を指定して映像データを確認する監視活動を実行できる映像監視システム及び映像配信サーバを提供することにある。
【課題を解決するための手段】
【０００７】
上記の目的を達成するために、本発明は、監視対象物を撮影する複数のカメラから映像データを取得し記録する映像記録端末装置と、作業員が操作する携帯端末と、前記携帯端末からの要求に応じて前記映像データを配信する映像配信サーバと、がネットワークを介して接続された映像監視システムであって、前記携帯端末は、前記映像データを表示可能な映像表示部と、前記複数のカメラから特定のカメラを指定する操作と、前記特定のカメラの撮影日時を指定する操作とを受け付ける携帯端末操作部と、前記二つの操作に従って前記特定のカメラが前記指定された撮影日時で撮影した映像データを表示させるための表示要求情報を生成する携帯端末制御部と、前記表示要求情報を前記映像配信サーバに送信する携帯端末通信部と、前記ネットワークを介して前記映像配信サーバから受信した前記映像データを前記映像表示部に表示する携帯端末表示制御部と、を備え、前記映像配信サーバは、前記映像記録端末装置から受信した映像データを格納する映像データ格納部と、前記携帯端末に予め割り当てられ、当該携帯端末を一意に識別する情報である個体識別情報を格納する個体識別情報格納部と、前記携帯端末から前記表示要求情報を受信し、当該携帯端末の個体識別情報と、前記個体識別情報格納部に格納されている個体識別情報とが一致した場合に、受信した当該表示要求情報に対応する映像データが前記映像データ格納部に格納されているか否かを判定し、前記映像データ格納部における、前記携帯端末から受信した前記表示要求情報に対応する映像データの格納状況に応じて、当該表示要求情報に対応する映像データの送信要求情報を前記映像記録端末装置に送信するサーバ制御部と、前記映像記録端末装置から前記送信要求情報に対応する映像データを受信した場合に、当該映像データをストリーミング形式で前記携帯端末に配信する配信処理部と、を備え、前記映像記録端末装置は、前記サーバ制御部から前記送信要求情報を受信した場合に、当該送信要求情報に対応する前記映像データを前記映像配信サーバに送信するネットワーク通信部を備え、前記サーバ制御部は、受信した当該表示要求情報に対応する映像データの一部が前記映像データ格納部に格納されている場合に、当該映像データ格納部に格納されていない部分の前記表示要求情報に対応する映像データの送信を要求するための前記送信要求情報を前記映像記録端末装置に送信し、前記ネットワーク通信部は、当該映像データ格納部に格納されていない部分の前記表示要求情報に対応する映像データを前記映像配信サーバに送信し、前記配信処理部は、前記映像記録端末装置から前記映像データ格納部に格納されていない部分の前記表示要求情報に対応する映像データを受信し、受信した前記映像データ格納部に格納されていない部分の前記表示要求情報に対応する映像データと前記映像データ格納部に格納された前記表示要求情報に対応する映像データの一部とを、前記携帯端末の前記映像表示部に表示させる、ことを特徴としている。
【０００８】
また、本発明は、監視対象物を撮影する複数のカメラから映像データを取得し記録する映像記録端末装置と、前記映像データを表示させるための表示要求情報を生成する携帯端末のそれぞれとネットワークを介して接続され、前記携帯端末からの要求に応じて前記映像データを配信する映像配信サーバであって、前記映像記録端末装置から受信した映像データを格納する映像データ格納部と、前記携帯端末に予め割り当てられ、当該携帯端末を一意に識別する情報である個体識別情報を格納する個体識別情報格納部と、前記携帯端末から前記表示要求情報を受信し、当該携帯端末の個体識別情報と、前記個体識別情報格納部に格納されている個体識別情報とが一致した場合に、受信した当該表示要求情報に対応する映像データが前記映像データ格納部に格納されているか否かを判定し、前記映像データ格納部における、前記携帯端末から受信した前記表示要求情報に対応する映像データの格納状況に応じて、当該表示要求情報に対応する映像データの送信要求情報を前記映像記録端末装置に送信するサーバ制御部と、前記映像記録端末装置から前記送信要求情報に対応する映像データを受信した場合に、当該映像データをストリーミング形式で前記携帯端末に配信する配信処理部と、を備え、前記サーバ制御部は、受信した当該表示要求情報に対応する映像データの一部が前記映像データ格納部に格納されている場合に、当該映像データ格納部に格納されていない部分の前記表示要求情報に対応する映像データの送信を要求するための前記送信要求情報を前記映像記録端末装置に送信し、前記配信処理部は、前記映像記録端末装置から前記映像データ格納部に格納されていない部分の前記表示要求情報に対応する映像データを受信し、受信した前記映像データ格納部に格納されていない部分の前記表示要求情報に対応する映像データと、前記映像データ格納部に格納された前記表示要求情報に対応する映像データの一部とを、前記携帯端末において前記映像データを表示する映像表示部に表示させる、ことを特徴とする。
【発明の効果】
【０００９】
本発明によれば、作業員が操作する携帯端末で指定したカメラが撮影した日時を指定した映像データを表示するための表示要求情報を映像配信サーバが受信した場合、該当する映像データを映像記録端末装置から取得し、当該携帯端末に送信する。従って、携帯端末を用いて作業員が建物に設置されたカメラを任意に指定し、指定されたカメラが撮影した日時を指定して映像データを確認する監視活動を実行できる映像監視システム及び映像配信サーバを提供できる。また、指定されたカメラが撮影した映像データの一部が映像配信サーバに格納されている場合には、映像配信サーバに格納されていない部分の映像データを映像記録端末装置から取得するだけでよく、短時間で映像データを携帯端末に表示させることが可能である。なお、上記した以外の課題、構成及び効果は、以下の実施の形態によって明らかにされる。
【図面の簡単な説明】
【００１０】
【図１】本実施形態に係る映像監視システムの全体構成図。
【図２】本実施形態に係る映像配信サーバ、携帯端末及び映像記録端末装置のハードウェア構成図。
【図３】本実施形態に係る映像監視システムの内部構成を示す機能ブロック図。
【図４】本実施形態に係る監視対象物の映像データの確認を行う際の説明図。
【図５】本実施形態に係る映像監視システムが行う処理の流れを示すシーケンス図。
【図６】本実施形態に係る映像配信サーバが行う処理の流れを示すフローチャート。
【発明を実施するための形態】
【００１１】
以下、本発明の実施形態に係る映像監視システム１について、図を参照しながら説明する。全図を通じて、同一の構成には同一の符号を付し、重複する説明を省略する。
【００１２】
図１は、本実施形態に係る映像監視システム１の全体構成図である。図１において、映像監視システム１は、監視対象物である３階建の建物３の異なる階床に設置されたカメラ３５Ａ、３５Ｂ、３５Ｃから映像を取得し、記録する映像記録端末装置３０と、建物３を遠隔で監視する管制センタ１０に設置されている映像配信サーバ１１と、映像データ３４を確認するために作業員が所持する携帯端末２０と、がネットワーク４を介して接続されている。映像配信サーバ１１は、管制センタ１０の管制員が使用するＰＣ（Ｐｅｒｓｏｎａｌ  Ｃｏｍｐｕｔｅｒ）等の演算機能を備えた出入力装置１１０と接続されていてもよい。以下の説明において、カメラ３５Ａ、３５Ｂ、３５Ｃのそれぞれを区別する必要がない場合には、カメラ３５と記載する。また、カメラ３５Ａは映像データ３４Ａを、カメラ３５Ｂは映像データ３４Ｂを、カメラ３５Ｃは映像データ３４Ｃをそれぞれ取得する。以下の説明において、映像データ３４Ａ、３４Ｂ、３４Ｃのそれぞれを区別する必要がない場合には、映像データ３４と記載する。
【００１３】
図２は、本実施形態に係る映像配信サーバ１１、携帯端末２０及び映像記録端末装置３０のハードウェア構成図である。図２の（ａ）は映像配信サーバ１１、（ｂ）は携帯端末２０、（ｃ）は映像記録端末装置３０の構成をそれぞれ示す。
【００１４】
図２の（ａ）に示すように、映像配信サーバ１１は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、ＨＤＤ（Ｈａｒｄ  Ｄｉｓｋ  Ｄｒｉｖｅ）１０４、Ｉ／Ｆ（インターフェース）１０５及びバス１０６を含む。そして、ＣＰＵ１０１、ＲＡＭ１０２、ＲＯＭ１０３、ＨＤＤ１０４及びＩ／Ｆ１０５がバス１０６を介して互いに接続され構成される。
【００１５】
映像配信サーバ１１は、Ｉ／Ｆ１０５及び外部通信装置１０８を介してネットワーク４に接続される。また、映像配信サーバ１１は、図１に示したような管制センタ１０に設置されたＰＣ等の演算機能を備えたＩ／Ｏ（出入力装置）１１０とＩ／Ｆ１０５を介して接続される。
【００１６】
図２の（ｂ）に示すように、携帯端末２０は、ＣＰＵ２０１、ＲＡＭ２０２、ＲＯＭ２０３、ＨＤＤ２０４、Ｉ／Ｆ２０５及びバス２０６を含む。そして、ＣＰＵ２０１、ＲＡＭ２０２、ＲＯＭ２０３、ＨＤＤ２０４及びＩ／Ｆ２０５がバス２０６を介して互いに接続され構成される。携帯端末２０は、映像配信サーバ１１から映像データ３４を取得し、ＬＣＤ（Ｌｉｑｕｉｄ  Ｃｒｙｓｔａｌ  Ｄｉｓｐｌａｙ）等の表示装置にＩ／Ｆ２０５を介して表示させる。また、携帯端末２０は、操作に対応する信号を出力する操作ボタンやタッチパネル等の入力装置とＩ／Ｆ２０５を介して接続される。従って、ＬＣＤ等の表示装置及び操作ボタンやタッチパネル等の入力装置はＩ／Ｏ２０７として構成される。また、携帯端末２０は、Ｉ／Ｆ２０５及び外部通信装置２０８を介してネットワーク４に接続される。また、携帯端末２０が、ＨＤＤ２０４を持たず、ＳＳＤ（Ｓｏｌｉｄ  Ｓｔａｔｅ  Ｄｒｉｖｅ）やフラッシュメモリ等の記憶媒体を持つ構成であってもよい。
【００１７】
図２の（ｃ）に示すように、映像記録端末装置３０は、ＣＰＵ３０１、ＲＡＭ３０２、ＲＯＭ３０３、ＨＤＤ３０４、Ｉ／Ｆ３０５及びバス３０６を含む。そして、ＣＰＵ３０１、ＲＡＭ３０２、ＲＯＭ３０３、ＨＤＤ３０４及びＩ／Ｆ３０５がバス３０６を介して互いに接続され構成される。映像記録端末装置３０は、Ｉ／Ｆ３０５を介してカメラ３５から映像データ３４を取得する。また、Ｉ／Ｆ３０５及びルータ装置等の外部通信装置３０８を介してネットワーク４に接続される。さらに、映像データ３４の表示を行うディスプレイ装置等のＩ／Ｏ３０７とＩ／Ｆ３０５を介して接続される構成であってもよい。
【００１８】
図３を参照して、映像監視システム１のソフトウェア構成を説明する。図３は、本実施形態に係る映像監視システム１の内部構成を示す機能ブロック図である。
【００１９】
映像配信サーバ１１は、映像配信サーバ１１の制御を実行するサーバ制御部１２と、映像配信サーバ１１に送受信される情報を記憶するサーバ記憶部１３と、ネットワーク４を介して情報の送受信の制御を行うサーバ通信部１４とを含む。
【００２０】
サーバ制御部１２及びサーバ通信部１４は、これらの機能を実現するソフトウェアプログラムを、映像配信サーバ１１を構成するハードウェアが実行することにより構成される。また、サーバ記憶部１３は、映像配信サーバ１１を構成するハードウェアのうちのデータ記憶装置、例えばＲＡＭ１０２やＨＤＤ１０４により構成される。
【００２１】
サーバ制御部１２は、作業員が操作する携帯端末２０から送信される映像データ３４を表示するための表示要求情報（詳細は後述する）に基づいて映像データ３４を取得するための処理を行う要求信号処理部１２Ａと、携帯端末２０に予め割り当てられ、携帯端末２０を一意に識別する情報である個体識別情報（詳細は後述する）に基づいて映像配信サーバ１１から携帯端末２０に映像データ３４の配信の可否を判定する配信可否判定部１２Ｂと、を含む。
【００２２】
サーバ記憶部１３は、ネットワーク４を介して映像記録端末装置３０から取得した映像データ３４を格納する映像データ格納部１３Ａと、携帯端末２０の個体識別情報を格納する個体識別情報格納部１３Ｂと、を含む。
【００２３】
サーバ通信部１４は、映像記録端末装置３０から取得した映像データ３４をネットワーク４を介して携帯端末２０に配信する処理を行う配信処理部１４Ａを含む。
【００２４】
携帯端末２０は、携帯端末２０に送受信された情報を作業員が認識可能な形式でＬＣＤ等のＩ／Ｏ２０７に表示する制御を行う携帯端末表示制御部２１と、作業員が行う携帯端末２０の操作を受け付けて信号等の入力情報を生成する携帯端末操作部２２と、携帯端末２０の制御を行う携帯端末制御部２３と、ネットワーク４を介して情報の送受信を行う携帯端末通信部２４と、携帯端末２０に送受信される情報や入力される情報を記憶する携帯端末記憶部２５と、を含む。従って、Ｉ／Ｏ２０７は映像表示部に相当する。
【００２５】
携帯端末表示制御部２１、携帯端末操作部２２、携帯端末制御部２３及び携帯端末通信部２４は、これらの機能を実現するソフトウェアプログラムを携帯端末２０を構成するハードウェアが実行することにより構成される。また、携帯端末記憶部２５は、携帯端末２０を構成するハードウェアのうちのデータ記憶装置、例えばＲＡＭ２０２やＨＤＤ２０４、若しくはＳＳＤやフラッシュメモリ等の記憶媒体により構成される。
【００２６】
映像記録端末装置３０は、映像記録端末装置３０の制御を行う映像記録端末制御部３１と、ネットワーク４を介して情報の送受信を行うネットワーク通信部３２と、カメラ３５から映像データ３４を取得するカメラ通信部３３と、カメラ３５から取得した映像データ３４を記憶する映像記録端末記憶部３６と、を含む。
【００２７】
映像記録端末制御部３１、ネットワーク通信部３２及びカメラ通信部３３は、これらの機能を実現するソフトウェアプログラムを、映像記録端末装置３０を構成するハードウェアが実行することにより構成される。また、映像記録端末記憶部３６は、映像記録端末装置３０を構成するハードウェアのうちのデータ記憶装置、例えばＲＡＭ３０２やＨＤＤ３０４により構成される。
【００２８】
図４は、本実施形態に係る監視対象物の映像データ３４の確認を行う際の説明図である。作業員が、携帯端末２０を用いて映像データ３４の確認を行う場合、作業員は、ネットワーク４を介して携帯端末２０を映像配信サーバ１１に認証させ、映像データ３４の取得を行う。このような場合に、作業員が携帯端末２０を操作して建物３の２階に設置されているカメラ３５Ｂを指定し、日時を指定した映像データ３４Ｂを確認する監視活動を実行できるようにすることが本発明の趣旨である。図４に例示するように、作業員が携帯端末２０に予めインストールされているアプリケーションソフトウェアによって表示された画面を操作し、建物３に設置されたカメラ３５Ｂを指定し、撮影日時を入力する構成であってもよい。
【００２９】
図５及び図６を参照して、本実施形態に係る映像監視システム１の処理を説明する。図５は本実施形態に係る映像監視システム１が行う処理の流れを示すシーケンス図、図６は、本実施形態に係る映像配信サーバ１１が行う処理の流れを示すフローチャートである。
【００３０】
まず、図５を参照して、映像監視システム１が行う処理の概要を説明する。建物３の監視活動を行う作業員は、携帯端末２０を操作してパスワード等の入力を行い、携帯端末２０を映像監視システム１にログインさせる。さらに、作業員は、携帯端末２０を操作して建物３に設置されているカメラ３５から映像を確認したいカメラ３５Ｂ、及びカメラ３５Ｂが撮影した映像データ３４Ｂから、どの日時のデータを確認するか指定する。携帯端末操作部２２は、このときの作業員の操作を受け付け、当該操作に対応する信号を送信する。そして、携帯端末制御部２３は、作業員が行った操作に対応するカメラ３５Ｂと撮影日時が指定された映像データ３４Ｂを表示させるための表示要求情報を生成する。表示要求情報は、携帯端末通信部２４によって、映像配信サーバ１１に送信される（Ｓ５０１）。
【００３１】
映像配信サーバ１１は表示要求情報を受信すると、携帯端末２０に予め割り当てられていて、携帯端末２０を一意に識別する情報である個体識別情報（携帯端末２０の電話番号、ＩＭＥＩ、通信事業者より割り当てられるユーザＩＤ等の情報）を、個体識別情報格納部１３Ｂに予め格納されている個体識別情報と照合し、携帯端末２０を認証する（Ｓ５０２）。この場合の認証とは、携帯端末２０が映像配信サーバ１１から映像データ３４の配信を許可されている携帯端末２０であると特定することをいう。即ち、携帯端末２０の個体識別情報が、個体識別情報格納部１３Ｂに格納されている個体識別情報と一致した場合に携帯端末２０が映像配信サーバ１１から映像データ３４の配信を許可されている携帯端末２０であると認証する。
【００３２】
映像配信サーバ１１は、Ｓ５０２にて認証された携帯端末２０から表示要求情報を受信すると、映像記録端末装置３０に当該表示要求情報に対応する映像データ３４Ｂの送信を要求する送信要求情報を送信する（Ｓ５０３）。この時、映像配信サーバ１１は、映像記録端末装置３０との接続処理を行う（Ｓ５０４、詳細は後述する）。
【００３３】
映像記録端末装置３０は、Ｓ５０４の接続処理を行って接続に成功した映像配信サーバ１１から送信要求情報を受け付け、当該送信要求情報に対応する映像データ３４Ｂを映像配信サーバ１１に送信する（Ｓ５０５）。映像配信サーバ１１は送信要求情報に対応する映像データ３４Ｂを受信すると、携帯端末２０に転送する（Ｓ５０６）。携帯端末２０は、当該送信要求情報に対応する映像データ３４Ｂを受信すると、携帯端末表示制御部２１に当該映像データ３４Ｂを表示させる（Ｓ５０７）。
【００３４】
次に、図６を参照して、本実施形態に係る映像配信サーバ１１が行う処理の詳細を説明する。映像配信サーバ１１が、携帯端末２０から映像データ３４の表示要求情報を受信する（Ｓ６０１）毎に配信可否判定部１２Ｂは、ユニークな要求ＩＤを採番し、サーバ記憶部１３に記憶させる。そして、サーバ通信部１４は採番された要求ＩＤと要求受付信号とを携帯端末２０に送信する（Ｓ６０２）。
【００３５】
次に、要求信号処理部１２Ａは、映像データ３４Ｂの表示要求情報に基づいて、映像データ３４Ｂの取得履歴の有無及び映像データ格納部１３Ａに表示要求情報に対応した映像データ３４Ｂが格納されているか否かを判定する（Ｓ６０３）。
【００３６】
表示要求情報に対応する映像データ３４Ｂが映像データ格納部１３Ａに全て存在する場合（Ｓ６０３／Ｙｅｓ）、要求信号処理部１２Ａは、映像取得完了を示す映像取得完了フラグを立ち上げる（Ｓ６１０）。そして配信処理部１４Ａは、携帯端末２０から送信される要求ＩＤを受信し、当該要求ＩＤに対応する表示要求情報の映像データ３４Ｂの映像取得完了フラグを確認すると、映像データ格納部１３Ａに格納された映像データ３４Ｂを抽出し、携帯端末２０に送信する（Ｓ６１１）。配信処理部１４Ａは、映像データ３４Ｂの送信を完了すると、サーバ記憶部１３に記憶されている要求ＩＤを削除する（Ｓ６１２）。
【００３７】
携帯端末表示制御部２１は、Ｓ６１１にて携帯端末通信部２４が映像配信サーバ１１から送信された映像データ３４Ｂを受信すると、映像表示部に当該映像データ３４Ｂを表示させる。このとき、映像データ３４Ｂは保存不可能な形式で携帯端末２０に送信されている（映像配信サーバ１１は、ストリーミングや保存できない拡張子等を用いて映像データ３４Ｂを送信する）。
【００３８】
表示要求情報に対応する映像データ３４Ｂが映像データ格納部１３Ａに存在しない場合（Ｓ６０３／Ｎｏ）、要求信号処理部１２Ａは、ネットワーク４を介して映像記録端末装置３０との接続処理を行う（Ｓ６０４）。この時、表示要求情報に対応した映像データ３４Ｂが一部しか存在しない場合においても、映像配信サーバ１１はＳ６０２及びＳ６０３と同様に映像記録端末装置３０との接続処理を行う。要求信号処理部１２Ａは、表示要求情報に対応する映像データ３４Ｂを映像記録端末記憶部３６から取得するために映像記録端末装置３０に対して接続を要求する信号等の情報である接続要求情報を送信する。
【００３９】
接続要求情報を受信すると、映像記録端末制御部３１は、接続要求情報の送信元のＩＰ（Ｉｎｔｅｒｎｅｔ  Ｐｒｏｔｏｃｏｌ）アドレス等に基づいて、送信元が映像配信サーバ１１であるか否かを判定する。映像記録端末制御部３１は、接続要求情報の送信元のＩＰアドレスが映像配信サーバ１１のＩＰアドレスと一致する場合には接続可情報を、また、送信元のＩＰアドレスが映像配信サーバ１１のＩＰアドレスと一致しない場合には接続不可情報を出力する。この場合における接続可否の判断を、映像記録端末装置３０に接続されるルータ装置等の外部通信装置３０８にて実行する構成にしてもよい。
【００４０】
映像記録端末装置３０から接続不可情報を受信したり、接続要求情報を送信してから所定の時間（例えば、１分間）経過しても接続可情報や接続不可情報を受信できなかった場合（Ｓ６０５／Ｎｏ）、サーバ通信部１４は携帯端末２０に接続不能通知情報を送信する。携帯端末通信部２４が接続不能通知情報を受信すると、携帯端末表示制御部２１は、接続不能である旨の通知を映像表示部に表示させる。
【００４１】
映像記録端末装置３０から接続可情報を受信した（Ｓ６０５／Ｙｅｓ）場合、サーバ通信部１４は、映像記録端末装置３０に携帯端末２０から受信した表示要求情報に対応する映像データ３４Ｂの送信要求情報を送信する（Ｓ６０６）。ネットワーク通信部３２は、送信要求情報を受信すると、当該送信要求情報に対応する映像データ３４Ｂを映像配信サーバ１１に送信する（Ｓ６０７）。
【００４２】
携帯端末２０は、Ｓ６０２で受信した要求ＩＤを映像配信サーバ１１に送信し、映像配信サーバ１１が当該要求ＩＤに関連付けられている表示要求情報に対応した映像データ３４Ｂの取得を完了したか否かの問い合わせを行う。映像データ３４Ｂが映像データ格納部１３Ａに格納されるまで、要求信号処理部１２Ａは映像取得完了フラグの立ち上げを実行しない。従って、映像取得完了フラグが立ち上げられておらず、配信処理部１４Ａが、表示要求情報に該当する映像データ３４Ｂ（換言すると、送信要求情報に対応する映像データ３４Ｂ）の取得が完了していないと判断した場合（Ｓ６０８／Ｎｏ）、サーバ通信部１４は当該映像データ３４Ｂの取得が完了していないことを示す映像データ取得未完通知情報を携帯端末２０に送信する。携帯端末表示制御部２１は、映像データ取得未完通知情報を受信すると、「映像データ取得中です」等のメッセージを映像表示部に表示させる。このメッセージを確認し、作業員は映像データ３４Ｂが取得中であることを認識することができる。
【００４３】
サーバ通信部１４は、映像データ３４Ｂの受信を完了する（Ｓ６０８／Ｙｅｓ）と、当該映像データ３４Ｂを映像データ格納部１３Ａに格納する（Ｓ６０９）。映像データ３４Ｂの格納が完了すると、要求信号処理部１２Ａは、映像取得完了を示す映像取得完了フラグの立ち上げを実行する（Ｓ６１０）。配信処理部１４Ａは、映像取得完了フラグの立ち上げを確認すると、携帯端末２０から送信された要求ＩＤに対応する表示要求情報の映像データ３４Ｂの取得が完了したと判断し、当該表示要求情報に対応した映像データ３４Ｂを抽出し携帯端末２０に送信する（Ｓ６１１）。
【００４４】
携帯端末表示制御部２１は、Ｓ６１１にて映像配信サーバ１１から配信された映像データ３４Ｂを受信すると、映像表示部に当該映像データ３４Ｂを表示させる。このとき、映像データ３４Ｂは保存不可能な形式で携帯端末２０に送信されている（映像配信サーバ１１は、ストリーミングや保存できない拡張子等を用いて映像データ３４Ｂを送信する）。
【００４５】
配信処理部１４Ａは、映像記録端末装置３０と接続不能であった場合（Ｓ６０５／Ｎｏ）若しくは、携帯端末２０に映像データ３４Ｂの送信を完了させた場合（Ｓ５０６）、サーバ記憶部１３に記憶されている要求ＩＤを削除し（Ｓ６１２）一連の処理を終了させる。そして、携帯端末２０から次の表示要求情報を受信するまで待機する。
【００４６】
以上説明したように、本実施形態によれば、携帯端末２０を用いて映像データ３４の確認を行う場合、作業員は、ネットワーク４を介して携帯端末２０を映像配信サーバ１１と認証させ、カメラ３５Ｂを指定し、カメラ３５Ｂが撮影した日時を指定する操作を行い、映像データ３４Ｂの取得を行う。従って、携帯端末２０を用いて作業員が建物３に設置されたカメラ３５Ｂを指定し、カメラ３５Ｂが撮影した日時を指定して映像データ３４Ｂを確認する監視活動を実行できる。さらに、異常発生時だけではなく、その前後の時間を指定して映像データ３４Ｂの取得を行うことで異常発生前後における状況の変化を的確に推測できるため、被害状況の迅速な把握や侵入者の特定の精度を向上させ、防犯性を高めた映像監視システム１の提供が可能になる。
【００４７】
また、要求信号処理部１２Ａが映像記録端末装置３０から取得する映像データ３４は、映像データ格納部１３Ａに格納されていない部分の映像データ３４である。従って同一カメラ３５Ｂが撮影した映像データ３４Ｂの撮影日時の指定を延長した映像データ３４Ｂの表示要求情報に対し、格納されていない部分の映像データ３４Ｂを取得するだけでよく、短時間で携帯端末２０に表示させることが可能である。
【００４８】
さらに、要求ＩＤはユニークなものであり、映像データ３４Ｂを携帯端末２０に返信するか、若しくは携帯端末２０と映像配信サーバ１１との通信が途絶した場合にサーバ記憶部１３から削除される。従って、要求ＩＤを文字数の少ない簡単なもので構成することができ、複数の携帯端末２０からの要求を同時に処理することが可能である。
【００４９】
加えて、映像データ３４Ｂは、携帯端末記憶部２５に格納されることなく映像表示部に表示されるため、携帯端末２０に映像データ３４Ｂが保存されることが無い。従って、携帯端末２０を紛失した場合においても、映像データ３４Ｂの漏えいリスクを低減できる。
【００５０】
上記は本発明の実施形態を例示したに過ぎず、本発明を限定する趣旨ではない。本発明の趣旨を逸脱しない様々な変形態様は、本発明に含まれる。例えば、映像監視システム１に複数台のカメラ３５が設置されている場合、作業員が携帯端末２０を操作して、カメラ３５Ａ、３５Ｂを指定して映像データ３４Ａ、３４Ｂを取得する構成にしてもよい。このような構成の場合、建物３の状況を様々な場所から撮影した映像データ３４を確認することが可能になり、より防犯性を高めた映像監視システム１の提供が出来るようになる。
【符号の説明】
【００５１】
１・・・映像監視システム
３・・・建物
４・・・ネットワーク
１０・・・管制センタ
１１・・・映像配信サーバ
１２・・・サーバ制御部
１２Ａ・・・要求信号処理部
１２Ｂ・・・配信可否判定部
１３・・・サーバ記憶部
１３Ａ・・・映像データ格納部
１３Ｂ・・・個体識別情報格納部
１４・・・サーバ通信部
１４Ａ・・・配信処理部
２０・・・携帯端末
２１・・・携帯端末表示制御部
２２・・・携帯端末操作部
２３・・・携帯端末制御部
２４・・・携帯端末通信部
２５・・・携帯端末記憶部
３０・・・映像記録端末装置
３１・・・映像記録端末制御部
３２・・・ネットワーク通信部
３３・・・カメラ通信部
３４・・・映像データ
３４Ａ・・・カメラ３５Ａの映像データ
３４Ｂ・・・カメラ３５Ｂの映像データ
３４Ｃ・・・カメラ３５Ｃの映像データ
３５・・・カメラ
３５Ａ・・・３Ｆのカメラ
３５Ｂ・・・２Ｆのカメラ
３５Ｃ・・・１Ｆのカメラ
３６・・・映像記録端末記憶部
１１０・・・管制センタのＩ／Ｏ
１０１、２０１、３０１・・・ＣＰＵ
１０２、２０２、３０２・・・ＲＡＭ
１０３、２０３、３０３・・・ＲＯＭ
１０４、２０４、３０４・・・ＨＤＤ
１０５、２０５、３０５・・・Ｉ／Ｆ
１０６、２０６、３０６・・・バス
２０７、３０７・・Ｉ／Ｏ
１０８、２０８、３０８・・・外部通信装置
【図１】
0006403633.tif 000002
【図２】
0006403633.tif 000003
【図３】
0006403633.tif 000004
【図４】
0006403633.tif 000005
【図５】
0006403633.tif 000006
【図６】
0006403633.tif 000007